(57)【要約】【課題】  清掃作業中は電動送風機の負荷を少なくし、収集された塵埃を外部に廃棄するために塵埃容器を掃除機本体から取り外した状態では、掃除機本体に塵埃や何らかの物体の進入を防ぐことができる電気掃除機を提供する。【解決手段】  電動送風機２を内蔵する掃除機本体１と、この掃除機本体１に着脱自在に結合される塵埃容器４とを備え、この掃除機本体１と前記塵埃容器４との結合状態で前記塵埃容器４が通風路２５を介して前記電動送風機２の吸気側に連通する電気掃除機において、前記通風路２５を開閉する風路開閉機構２９、４５、５１を前記掃除機本体１に設けた電気掃除機である。【選択図】  図５
2005211285.tif 000002
【特許請求の範囲】
【請求項１】
電動送風機を内蔵する掃除機本体と、この掃除機本体に着脱自在に結合される塵埃容器とを備え、この掃除機本体と前記塵埃容器との結合状態で前記塵埃容器が通風路を介して前記電動送風機の吸気側に連通する電気掃除機において、
前記通風路を開閉する風路開閉機構を前記掃除機本体に設けたことを特徴とする電気掃除機。
【請求項２】
風路開閉機構は、掃除機本体と塵埃容器との結合状態で通風路を開くとともに非結合状態で前記通風路を閉じるように、前記塵埃容器の前記掃除機本体への結合動作に連動することを特徴とする請求項１記載の電気掃除機。
【請求項３】
風路開閉機構は通風路を閉じる閉鎖部を備え、この閉鎖部は通気性を有することを特徴とする請求項１または請求項２記載の電気掃除機。
【請求項４】
風路開閉機構およびこの風路開閉機構を開閉させる作動部を通風路中に配置したことを特徴とする請求項１から請求項３のいずれかに記載の電気掃除機。
【発明の詳細な説明】
【技術分野】
【０００１】
本発明は、電動送風機を内蔵した掃除機本体に、フィルタ部を内装した塵埃容器を着脱自在に結合した電気掃除機に関する。
【背景技術】
【０００２】
従来の電気掃除機は、例えば、床面等を移動する吸込口体から吸引された塵埃が混在する空気は、吸込ホースが接続された掃除機本体の接続口から吸引される。そして、この掃除機本体に着脱可能に結合された集塵容器のサイクロン容器部とフィルタ体とで塵埃と空気とを分離して、塵埃を収容容器部に収容するとともに、ろ過された空気は掃除機本体の保護フィルタを設けた吸気口から吸気風路を経由して吸引力を発生させている電動送風機を通過し、掃除機本体の排気口から外部に排気される。
【０００３】
この電気掃除機による清掃作業において、集塵容器の内部に塵埃が多量に集積された場合に、掃除機本体からフィルタ体とともに集塵容器を取り外して塵埃をゴミ箱内等の外部に廃棄することになる。しかし、この塵埃容器を取り外した状態において、掃除機本体の内部に向かって塵埃や何らかの物体を落下させたり、時には誤って電源スイッチに人体の一部を接触させるか、または物体を衝突させることにより電動送風機が駆動されてしまうことがある。このような場合、電動送風機の吸引力より塵埃や比較的大きな物体が掃除機本体に取り込まれ、内部を汚染したり、電動送風機のファンやモータを破壊することがある。
【０００４】
そのため、前記したように掃除機本体の吸気口に保護フィルタを設けることにより、集塵容器を取り外した状態であっても、電動送風機の駆動状態に関係なく、掃除機本体の内部に異物が進入するのを防ぐようにしている。（例えば、特許文献１参照）  
【特許文献１】特開２００３−１３５３３４号公報（第３頁、図３）
【発明の開示】
【発明が解決しようとする課題】
【０００５】
しかしながら、この従来例においても、吸引した空気の経路中に常時保護フィルタが存在するために、清掃作業中に電動送風機の負荷となってエネルギーの損出を生じさせたり、電気掃除機の性能低下を招くという問題点があった。
【０００６】
本発明は、上記事情に鑑みなされたものであって、清掃作業としての電動送風機の駆動中は負荷を少なくし、塵埃容器を取り外した状態では塵埃や何らかの物体が掃除機本体に進入するのを防ぐことができる電気掃除機の提供を目的とする。
【課題を解決するための手段】
【０００７】
本発明は、電動送風機を内蔵する掃除機本体と、この掃除機本体に着脱自在に結合される塵埃容器とを備え、この掃除機本体と前記塵埃容器との結合状態で前記塵埃容器が通風路を介して前記電動送風機の吸気側に連通する電気掃除機において、前記通風路を開閉する風路開閉機構を前記掃除機本体に設けたことを主要な特徴とする。
【発明の効果】
【０００８】
本発明の電気掃除機は、清掃作業中は電動送風機の負荷を少なくし、収集された塵埃を外部に廃棄するために塵埃容器を掃除機本体から取り外した状態では、掃除機本体に大きな塵埃や何らかの物体の進入を防ぐことができる。
【発明を実施するための最良の形態】
【０００９】
以下、本発明による電気掃除機の実施態様について、図１から図１１を参照して説明する。
【実施例１】
【００１０】
図１は、この発明の１つの実施形態に係る電気掃除機を示す。１は電動送風機２を本体ケーシング３に内蔵した掃除機本体で、この掃除機本体１の前方部分には、塵埃容器である中空のケース体４が着脱自在に結合されている。これらにより被清掃面である床面から吸引した空気に混在する塵埃をケース体４の内部で捕捉して、空気のみをそれぞれの排気口５から外部に排気するもので、掃除機本体１の前方および両側に設けた一対の車輪６により床面を移動可能となっている。
【００１１】
この掃除機本体１は、ケース体４の上面開口を覆ってこれを押さえるために、本体ケーシング３に対し一対の蓋ヒンジ部７により回動自在となった押さえ蓋８とを有し、この押さえ蓋８の前方には塵埃を含んだ空気の流入口１１を有する本体接続管９が設けられている。この本体接続管９の流入口１１には、螺旋状のワイヤーを被覆して外周に巻きつけた可撓性のある吸込ホース１０の一端部が、本体クランプ１２により着脱可能に接続され、この吸込ホース１０の他端部には手元操作部１３が取付けられている。
【００１２】
この手元操作部１３は、操作回路の一部が収容され、各種の操作ボタン１４により掃除機本体１に内蔵された電動送風機２を制御することが可能となっている。さらにこの手元操作部１３には、２本の長い管により伸縮可能に形成された延長管１５の一端部が挿脱可能に嵌合され、この延長管１５の反対側の他端部１６には、吸込口体１７の端部が挿脱可能に嵌合して取付けられている。この吸込口体１７からは、電動送風機２の回転により生じた吸引力により塵埃が空気に混在して吸込まれるようになっている。
【００１３】
図２から図９により、掃除機本体１および塵埃容器であるケース体４の構成を具体的に説明する。図５において、掃除機本体１の後部に内蔵された電動送風機２は、ファン部２０と、これを駆動するモータ部２１を有する。そして、このモータ部２１によってファン部２０が回転されると、ファン部２０の吸込開口２２から吸い込また空気は、モータ部２１内を流れて内部を冷却した後モータ部２１の排気孔２３から排出され、さらに掃除機本体１の排気口５から外部に排気されるようになっている。
【００１４】
特に図５から図９に示すように、吸込開口２２の前方の通風路２５となる掃除機本体１の中央部に設けた本体連結開口部２６の前方には、風路開閉機構の一部を構成するもので、プラスチック材料により成形される一体のフレーム２７により区切られた複数個の連通孔２８を底面に有し、ほぼ４角形をした浅い筒状の支持体２９が垂直方向に立てた状態で設けられている。この支持体２９の外周部３０は、電動送風機２が固定された筒状枠体３１の開口縁部３２に弾力性のあるパッキング３３により気密に固定されている。
【００１５】
また、支持体２９には、電動送風機２と反対側に面する連通孔２８の左右両側に突出して、上下方向に直線的に伸びたガイド部材３５が一体的に設けられている。このガイド部材３５は、高さが高くなったガイド部３６とその両側に伸びたスペーサ部３７とから構成されている。また、支持体２９の外周部３０の下部中央には、支持孔３８を有し、これに近接して付勢手段であるコイルスプリング３９が上下方向に向かって配置され、左右上部には一対のねじ孔部４０と中央にストッパ４１が一体的に突出して設けられている。
【００１６】
４５は、風路開閉機構の一部を構成し、外形がほぼ４角形をなし外周部に外周縁部４６を有する一方の風路開閉板となる仕切板で、その中央部には２列となった複数の通気孔４７が設けられ、これらの全ての通気孔４７の各上部は仕切板閉鎖部４４となっている。この仕切板４５は、下部中央に貫通孔４８が設けられ、また外周縁部４６から下方に突出して支持体２９の支持孔３８に嵌合する突起部４９と、上部左右の２個所に設けたねじ孔５０に挿入される図示しないネジとにより、支持体２９に固定されている。
【００１７】
５１は、風路開閉機構の一部を構成し、支持体２９と仕切板４５との間に挟持された他方の風路開閉板となる平板状の開閉板で、仕切板４５の通気孔４７と同一間隔で同一個数の通風孔５２が設けられるとともに、この通風孔５２の全ての各下部は開閉板閉鎖部５３となっている。この開閉板５１は、通気孔４７の両脇に沿ってそれぞれ上下方向に設けられたスリット状の一対のガイド孔５４を有している。このガイド孔５４には、前記ガイド部材３５のガイド部３６が係合し、この開閉板５１は、ガイド部材３５のスペーサ部３７と支持体２９との間でそれぞれに近接しつつ上下移動可能な状態で保持されている。
【００１８】
また、開閉板５１の下部中央には、支持体２９に設けられた貫通孔４８から反対側に突出する開閉突起５５、およびこの開閉突起５５と反対側および下方にＬ字状に延びるスプリング受５６が一体に設けられている。このスプリング受５６には、前記支持体２９の下部中央に配設したコイルスプリング３９が当接し、開閉板５１の上端が支持体２９のストッパ４１に達する位置まで上昇可能となるよう付勢されている。
【００１９】
このような仕切板４５と開閉板５１との位置関係において、仕切板４５に対し開閉板５１が図９に示す矢印Ａ方向に最下降した状態では、通気孔４７と通風孔５２とが完全に重合して十分な通風が矢印Ｂ方向に流れることが可能となる。また、開閉板５１が最上昇した状態では、通気孔４７は開閉板閉鎖部５３と、通風孔５２は仕切板閉鎖部４４とそれぞれ重合して通風が困難となる。
【００２０】
次に、図２から図５により、塵埃容器であるケース体４が、掃除機本体１に結合された状態を説明する。掃除機本体１の一部を構成する本体ケーシング３の前部には、ケース体４が着脱自在に結合される半円形のケース載置部６０が一体的に設けられている。このケース載置部６０には、周壁６１により囲まれた収容凹部６２を有し、この中にケース体４の下部が嵌合して載置されている。さらにケース載置部６０の先端部には、嵌合凹部６３を有するハンドル支持部６４が備えられている。
【００２１】
ケース体４は、ケース載置部６０の収容凹部６２に嵌合してから、押さえ蓋８を一対の蓋ヒンジ部７を支点として下方に回動することによって、本体接続管９の流入口１１に設けたリング状の蓋体シール６５と筒状枠体３１の開口縁部３２にある前記パッキング３３との間に挟持され、掃除機本体１と気密に結合されている。
【００２２】
塵埃容器であるケース体４には、前記本体連結開口２６に前記通風路２５を介して対面する容器連結開口７９、およびその底部が開放可能な中空のカップ本体６６と、カップ本体６６の前側に一体に設けられた取手６７を有する。この取手６７の上端部には係止穴６８が設けられ、この係止穴６８には、押さえ蓋８の先端部に有する本体接続管９のロック解除ボタン６９により解除されるロック爪７０が係合して固定されている。また、取手６７の下端部には係止突起部７１が設けられ、前記ハンドル支持部６４の嵌合凹部６３に嵌合して位置決めされている。
【００２３】
また、カップ本体６６の下部には、円弧状の前壁７２と、その両側に有する側壁７３と、ほぼ４角形のフィルタ孔７４をそれぞれ有する上壁７５および後壁７６と、下面には底部ヒンジ部７７で回動可能となった底蓋７８とを有することにより６面の仕切壁で覆われた集塵室８０が備えられている。これらの上壁７５および後壁７６のフィルタ孔７４には、粗塵捕捉用のネットフィルタ８１がそれぞれ設けられている。カップ本体６６の底部に位置する底蓋７８は、ケース体４を掃除機本体１から取り出した後に、取手６７の廃棄ボタン８８を押すことにより、図示しないロック機構が外れて重力により下方に開放することができる。
【００２４】
集塵室８０の上方には、前記蓋体シール６５に接合した円管状の吸込風路８２を有する吸込筒部８３が設けられ、この吸込筒部８３の端部にはほぼＬ字状の風路形成パイプ  ８４の一端が接合されている。この風路形成パイプ８４の他端部は、集塵室８０を形成する側壁７３の一方に設けた側壁孔５９から集塵室８０の内部に連通している。この風路形成パイプ８４の一端部には円錐形状に配置されたバイパス孔８５が設けられ、これらのバイパス孔８５を覆って粗塵捕捉用の筒状フィルタ８６が取り付けられている。ケース体４の内部における集塵室８０および風路形成パイプ８４の外側は、負圧室８７となっている。
【００２５】
ケース体４の容器連結開口７９には、外形がほぼ４角形をしたフィルタ枠８９の内側に、所定の厚さに折り曲げられたプリーツフィルタ９０が着脱可能に取り付けられている。このプリーツフィルタ９０は、繊維等を織り込んだメッシュの細かいろ過部材を襞（ヒダ）状または波型に折れ曲げることにより表面積を広くしたもので、上述した粗塵捕捉用のネットフィルタ８１および筒状フィルタ８６で捕捉できなかった細塵を捕捉するものである。なお、この細塵捕捉用のフィルタは、襞状または波型としたフィルタ以外の肉厚なもので構成しても良い。
【００２６】
このプリーツフィルタ９０を取付けたフィルタ枠８９の下辺中央部には、作動部９１が突出して設けられている。この作動部９１は、前述の開閉板５１に有する開閉突起５５の上面から、コイルスプリング３９の付勢力に抗して開閉板５１を下方に押さえ付けた状態となっている。この作動部９１の作用により、仕切板４５の通気孔４７と開閉板５１の通風孔５２との位置が完全に重合して、十分な通風が得られる状態となっている。
【００２７】
次にこれらにより構成された電気掃除機の使用について説明する。掃除機本体１に有する本体ケーシング３の押さえ蓋８を、蓋ヒンジ部７を中心に９０度以上の角度となるまで上方に回動して、本体連結開口２６の前方を開放する。そして、取り外した状態の塵埃容器であるケース体４の取手６７も持ち、本体連結開口２６に容器連結開口７９を位置合わせするように、上方からケース載置部６０の収容凹部６２にカップ本体６６の下部を嵌合させるとともに、取手６７の係止突起部７１を、本体ケーシング３の前部にあるハンドル支持部６４の嵌合凹部６３に嵌合して位置決めを行う。
【００２８】
この際、プリーツフィルタ９０のフィルタ枠８９に有する作動部９１により、開閉板５１に設けられた開閉突起５５をコイルスプリング３９の付勢力に抗して下端まで押し下げることになる。この操作は、ケース体４の重量と収容凹部６２への位置合わせにより容易に行うことができる。これにより、コイルスプリング３９により付勢されて上方に保持されていた仕切板４５を下方に移動させ、開閉板閉鎖部５３と仕切板閉鎖部４４とにより閉鎖されていた仕切板４５の通気孔４７と開閉板５１の通風孔５２とを、互いに一致する位置に重合させることになり、塵埃容器であるケース体４は、通風路２５を介して電動送風機２の吸気側に連通する。
【００２９】
その後、押さえ蓋８をケース体４に向かってこれを覆うように回動することにより、ケース体４を上方から押さえるとともに、取手６７の係止穴６８に、押さえ蓋８の先端部に有するロック解除ボタン６９により解除可能なロック爪７０が係合して、押さえ蓋８を有する掃除機本体１にケース体４が固定される。
【００３０】
次に、このように構成された電気掃除機の動作状態につき説明する。吸込ホース１０の手元操作部１３に有する操作ボタン１４の電源スイッチを入れると、電動送風機２が駆動される。この電動送風機２により生じた吸引力により、床面等の被清掃面から吸込口体１７により吸引された塵埃が混在する空気は、延長管１５、吸込ホース１０を経由して押さえ蓋８に有する流入口１１に流入する。さらにこの流入口１１からケース体４に有する吸込筒部８３の吸込風路８２を経由した塵埃が混在する空気は、風路形成パイプ８４の内部に流入する。
【００３１】
そして、この空気の一部は、バイパス孔８５に有する筒状フィルタ８６よりろ過されて負圧室８７に流入し、他の一部と筒状フィルタ８６で捕捉された比較的大きな塵埃（粗塵）を含む空気は、風路形成パイプ８４を通過して側壁孔５９から集塵室８０に流入する。この集塵室８０に流入した混在空気は、今度は上壁７５および後壁７６のそれぞれに設けたフィルタ孔７４のネットフィルタ８１によりろ過されて、粗塵は集塵室８０内に収容されるとともに、ここで捕捉されなかった細塵の混在する空気は、負圧室８７に流入する。
【００３２】
このようなそれぞれのルートで負圧室８７に流入してきた細塵が混在する空気は、次にメッシュの細かいプリーツフィルタ９０によりろ過されて細塵が捕捉される。このプリーツフィルタ９０を通過して清浄化された空気は、容器連結開口７９から通風路２５に流出する。さらにこの空気は、一方の風路開閉板である仕切板４５の通気孔４７、他方の風路開閉板である開閉板５１の通風孔５２、支持体２９の連通孔２８を通過して吸込開口２２から電動送風機２に流入する。そして、電動送風機２のファン部２０およびモータ部２１を通過して排気孔２３から排出された後、本体ケーシング３に設けられた排気口５から外部に排気される。
【００３３】
次に、塵埃容器であるケース体４に収容された塵埃を廃棄する場合について説明する。吸込ホース１０を、本体接続管９の本体クランプ１２を操作して吸込口１１から取り外した後、ロック解除ボタン６９を押して、ケース体４の取手６７に有する係止穴６８とロック爪７０との係合を解除する。そして、取手６７を持ってケース体４を持ち上げることにより、掃除機本体１から取り外すことができる。この際、フィルタ枠８９に設けられた作動部９１と、仕切板４５に設けた開閉突起５５との係合が解除されることにより、開閉板５１は、コイルスプリング３９の付勢力により上昇し、その上辺が支持体２９のストッパ４１に衝突する位置まで移動する。これにより、仕切板４５の通気孔４７と開閉板５１の通風孔５２とは、開閉板閉鎖部５３と仕切板閉鎖部４４とにより閉鎖される。
【００３４】
このように、通風路２５に配置された支持体２９、仕切板４５、開閉板２５で構成された風路開閉機構の開閉は、掃除機本体１の例えば外部に突出させたレバーなどの操作を格別にしなくとも、塵埃廃棄のために塵埃容器であるケース体４を掃除機本体１に対し着脱作業をするだけで、これらに連動して行うことができる。
【００３５】
さらに、上記風路開閉機構およびこの風路開閉機構の開閉動作を行うフィルタ枠８９に設けた作動部９１を、通風路２５の内部に位置させたことにより、通風路２５を含む掃除機本体１の機密性を確保することができる。
【００３６】
これにより、掃除機本体１の内部に塵埃や何らかの物体が侵入するのを防止することができる。また、この状態で誤って電動送風機２に電力が供給されて吸引力が生じた場合でも、上記塵埃や物体が吸引されるのを防止することができる。
【００３７】
掃除機本体１から取り外されたケース体４は、図示しないゴミ箱の上方に持ち運び、取手６７の上部にある廃棄ボタン８８を押し下げることにより、底蓋７８を開放しケース体４の内部に収容した塵埃を落下させて廃棄することができる。その後、底蓋７８を閉鎖してケース体４を掃除機本体１に結合することにより、次の清掃作業を開始することができる。このケース体４を掃除機本体１に結合する際、プリーツフィルタ９０のフィルタ枠８９に設けた作動部９１によって開閉突起５５を押し下げることにより、開閉板５１が下方に移動する。これによって仕切板４５の通気孔４７と開閉板５１の通風孔５２との位置が重合し、通風路２５が通気可能になる。
【００３８】
なお、上記実施例において、仕切板４５および開閉板５１に有する仕切板閉鎖部４４ならびに開閉板閉鎖部５３の部分は、その両方または一方を通気性のあるメッシュフィルタにより構成することもできる。前者の両方をメッシュフィルタとした場合、塵埃容器であるケース体４を掃除機本体１に結合した状態では、通気孔４７と通風孔５２との位置が完全に重合することによるこれらの貫通孔による通風に加え、いずれもメッシュフィルタにより構成された仕切板閉鎖部４４と開閉板閉鎖部５３との重合した部分によっても一定の通風を行うことができるので、さらに電動送風機２の能力を高めることができる。
【００３９】
また、この場合の塵埃容器であるケース体４を掃除機本体１から取外した状態では、通気孔４７はメッシュフィルタで構成された開閉板閉鎖部５３で、通風孔５２は同じくメッシュフィルタで構成された仕切板閉鎖部４４でそれぞれ覆れることになる。これにより、ほぼ全面が実質的にメッシュフィルタで覆われたことになるので、大きな塵埃や物体が掃除機本体１や電動送風機２の内部に入り込むことを防止するとともに、この状態で何らかの原因により電動送風機２が駆動された場合にも、十分な空気の流入が行われ、他に加熱防止のための空気流入機構を設けていない場合でも、モータ部２１が過負荷によって焼損することがない。
【００４０】
さらに、後者の、仕切板４５および開閉板５１に有する仕切板閉鎖部４４と開閉板閉鎖部５３とのいずれか一方のみをメッシュフィルタにより構成した場合には、前述した仕切板閉鎖部４４と開閉板閉鎖部５３との両方をメッシュフィルタで構成したものに近い機能を得ることができる。
【実施例２】
【００４１】
次に、図１０により電気掃除機の第２の実施例の風路開閉機構を、実施例１と同一の構成には同一の番号を使用して説明する。図１０は、塵埃容器であるケース体４が掃除機本体１から取り外された状態の風路開閉機構を示すものである。１０１は、掃除機本体１の本体連結開口２６に固定された一方の風路開閉板である仕切板で、この仕切板１０１には、回動軸１０２を中心に貫通する３角形状をした６個の通気孔１０３と６個の仕切板閉鎖部１０４とが、放射状となって等間隔で交互に配置されている。
【００４２】
また、この仕切板１０１には、回転軸１０２に支持されて他方の風路開閉板である開閉板１０５が密着して回転可能に取付けられている。この開閉板１０５には、前記通気孔１０３と同一形状をした通風孔１０６が、回転軸１０２を中心に放射状に１２個設けられ、これらは貫通する６個の通風孔１０６とメッシュフィルタ１０７が張られた６個の通風孔１０６とが交互に配置されている。貫通する６個の通風孔１０６は、仕切板閉鎖部１０４と完全に重合した状態であり、この部分による通風は行われない。また、メッシュフィルタ１０７が張られた６個の通風孔１０６は、貫通する６個の通気孔１０３と完全に重合しており、メッシュフィルタ１０７を通して通風が可能となっている。
【００４３】
これにより、掃除機本体１の内部に大きな塵埃や何らかの物体が侵入するのを防止することができる。また、この状態で誤って電動送風機２に電力が供給されて吸引力が生じた場合でも、上記の塵埃や物体が吸引されるのを防止することができる。さらに、メッシュフィルタ１０７が張られた通風孔１０６の存在によって一定量の空気流入が確保されるため、モータ部２１の焼損を防止することができる。
【００４４】
また、仕切板１０１に固定した固定軸１０８と開閉板１０５の外周部に固定した移動軸１０９との間には、コイルスプリング１１０が張架されて、通気孔１０３や通風孔１０６などの位置関係が安定状態となっている。開閉板１０５の外周部には、１個の開閉突起１１１が前述したケース体４に向かって突出している。
【００４５】
次に、ケース体４を掃除機本体１に結合する状態について説明すると、ケース体４を上方から掃除機本体１に結合すると、前述したフィルタ枠８９に突出する作動部９１により、開閉突起１１１をコイルスプリング１１０の付勢力に抗して矢印Ｃ方向に押し下げて回動させて固定状態とする。これにより、互いに貫通する仕切板１０１の通気孔１０３と、開閉板１０５の通風孔１０６とが完全に重合し、吸込口体１７から吸引された空気を十分に通気することができる。この状態の仕切板１０１の仕切板閉鎖部１０４は、メッシュフィルタ１０７が張られた通風孔１０６と重合するが、吸引された空気にはなんらの影響を与えない。
【００４６】
なお、仕切板閉鎖部１０４の部分も、メッシュフィルタ１０７を張った通風孔１０６と同一とすることができる。これにより、ケース体４を掃除機本体１に取り付けた状態では、通気孔１０３と通風孔１０６との通風に加え、さらに通風路２５の通気量を増加させることができる。
【実施例３】
【００４７】
また、図１１により電気掃除機の第３の実施例の風路開閉機構を説明する。１１５は、掃除機本体１の本体連結開口２６に固定された一方の風路開閉板である仕切板で、この仕切板１１５には、互いに並列となった通気孔１１６が５個設けられている。これらの通気孔１１６には、それぞれ他方の風路開閉板である５個の閉鎖蓋１１７が回転軸１１８により回動自在に取り付けられている。これらの閉鎖蓋１１７は、それぞれ両側端部が連結紐１１９により連動可能に連結されている。また、最上部の閉鎖蓋１１７の回転軸１１８には、開閉突起である回動アーム１２０が、コイルスプリング１２１により通気孔１１６を閉鎖蓋１１７で閉鎖する矢印Ｄの方向に付勢して取り付けられている。
【００４８】
これらの構成により、ケース体４を掃除機本体１から取り外している状態では、各通気孔１１６はそれぞれの閉鎖蓋１１７によってほぼ閉鎖されているが、ケース体４を掃除機本体１に結合する際には、このケース体４のフィルタ枠８９に突出した作動部９１により回動アーム１２０を上方向から押して回動させ、これにより閉鎖蓋１１７を９０度の角度近くまで回動することで通気孔１１６が開き通気可能状態となる。従って、ケース体４の着脱状態により、掃除機本体１とケース体４との結合部である通風路２５を開閉することができる。
【００４９】
なお、閉鎖蓋１１７を、外枠で囲まれたメッシュフィルタで構成することができる。この場合、ケース体４を取り外したことによる閉鎖蓋１１７を閉めた状態では、誤って電動送風機２に電力が供給されて吸引力が生じた場合でも、大きな塵埃や物体が吸引されるのを防止することができるとともに、メッシュフィルタで構成した閉鎖蓋１１７によって一定量の空気流入が確保されるため、他の焼損防止機構を設けなくてもモータ部２１の焼損を防止することができる。
【００５０】
さらに、これらのメッシュフィルタで構成した隣り合う閉鎖蓋１１７の間にある仕切板１１５の枠部を無くして、並列する閉鎖蓋１１７の端部を近接することにより、ケース体４を取り外した状態には、通風路２５のほぼ全面を通気性のあるメッシュフィルタで覆うことができる。
【００５１】
上記全ての実施例では、風路開閉機構を、固定された一方の風路開閉板に対して、コイルスプリングなどにより付勢して移動可能とした他方の風路開閉板により構成したが、これに限らず互いに移動可能とすることにより、通風路の開閉を行うようにすることも可能である。
【００５２】
また、上記実施例では、集塵容器であるケース体を掃除機本体に結合することにより、これと連動するケース体と掃除機本体との間の通風路を風路開閉機構によって開放するようにしたが、これに限らず作業者が必要時に手動により風路開閉機構を操作して、通風路を開閉するようにすることもできる。この場合には、ケース体の結合動作に連動させる作動部や、通風路を閉鎖するためのコイルスプリングなどの付勢手段は不要である。
【００５３】
さらに上記実施例に設けた通気孔または通風孔は、風路開閉機構に必ずしも複数個ずつ設ける必要はなく、おのおの一個ずつ設けたものであっても良い。
【００５４】
本発明の電気掃除機は、電動送風機を内蔵した掃除機本体と、これに着脱自在に結合できるケース体である塵埃容器が存在すれば、その形式に限定されることはない。
【図面の簡単な説明】
【００５５】
【図１】本発明による電気掃除機の外観斜視図である。（実施例１）
【図２】図１に示す掃除機本体と塵埃容器との結合状態を現す斜視図である。
【図３】図１に示す塵埃容器を取外した掃除機本体を現す斜視図である。
【図４】図１に示す本発明の塵埃容器の斜視図である。
【図５】図１に示す電気掃除機の掃除機本体と塵埃容器とを結合した状態の一部断面図である。
【図６】図３に示す掃除機本体に有する支持体（風路開閉機構）の斜視図である。
【図７】図３に示す掃除機本体に有する仕切板（風路開閉機構）の斜視図である。
【図８】図３に示す掃除機本体に有する開閉板（風路開閉機構）の斜視図である。
【図９】図１に示す掃除機本体と塵埃容器との結合状態を現す断面図である。
【図１０】本発明による他の実施例である電気掃除機の風路開閉機構の斜視図である。（実施例２）
【図１１】本発明による他の実施例である電気掃除機の風路開閉機構の斜視図である。（実施例３）
【符号の説明】
【００５６】
１  掃除機本体
２  電動送風機
４  ケース体（塵埃容器）
２５  通風路
２６  本体連結開口
２９  支持体（風路開閉機構）
３９、１１０、１２１  コイルスプリング（付勢手段）
４５、１０１、１１５  仕切板（一方の風路開閉板、風路開閉機構）
４７、１０３、１１６  通気孔
５１、１０５、１１７  開閉板（他方の風路開閉板、風路開閉機構）
５２、１０６  通風孔
５５、１１１、１２０  開閉突起
７９  容器連結開口
９０  プリーツフィルタ（フィルタ部）
９１  作動部
【図１】
2005211285.tif 000003
【図２】
2005211285.tif 000004
【図３】
2005211285.tif 000005
【図４】
2005211285.tif 000006
【図５】
2005211285.tif 000007
【図６】
2005211285.tif 000008
【図７】
2005211285.tif 000009
【図８】
2005211285.tif 000010
【図９】
2005211285.tif 000011
【図１０】
2005211285.tif 000012
【図１１】
2005211285.tif 000013